(57)【要約】      （修正有）【課題】通風性と防蚊性を備え、さらに、外観や風情に優れた網地として、既にある網戸や壁紙に張り付けて使用可能とする重ね貼り用網地を提供することである。【解決手段】モノフィラメント糸を編織して網地とし、該網地に所定の模様柄をプリントし、及び／又は防蚊処理を施した重ね貼り用網地１とした。重ね貼り用網地１は、モノフィラメント糸を編織した布地に所定の模様柄をプリント及び／又は防蚊処理を施した網地であって、壁紙として使用する場合には所定の模様柄をプリントしているので、季節が変わる毎に、また、部屋の模様替えの毎に所望の風情を出すために所定の絵柄がプリントされた重ね貼り用網地１を貼付することができる。【選択図】図１
0003108103.tif 000002
【実用新案登録請求の範囲】
【請求項１】
モノフィラメント糸を編織した網地とし、該網地に所定の模様柄をプリント及び／又は防蚊処理を施したことを特徴とする重ね貼り用網地。
【請求項２】
前記モノフィラメント糸を平織り、もしくはからみ織りしたことを特徴とする請求項１に記載の重ね貼り用網地。
【請求項３】
前記モノフィラメント糸をトリコット編みしたことを特徴とする請求項１に記載の重ね貼り用網地。
【請求項４】
ポリエステルモノフィラメント糸と可溶性繊維との混紡糸を編織した網地とし、該網地をオパール加工して所定の模様柄を現出した後で、プリント及び／又は防蚊処理を施したことを特徴とする重ね貼り用網地。
【考案の詳細な説明】
【技術分野】
【０００１】  本考案は、網地に係り、特に網戸や壁紙の上等から貼り付けて使用する重ね貼り用網地に関するものである。
【背景技術】
【０００２】  従来、屋内へ通気は許容するが、蚊や虫などの侵入を防止するために網戸が用いられている。【０００３】  上記の網戸としては、戸枠に金網やナイロンワイヤ等の強力糸をメッシュ状とした防虫網を張り付けた構成の網戸が用いられている。また、それらの網戸は一般に青や緑などの単調な色合いの網戸であり、外部から屋内が覗かれないためや、風情を出すためには、前記網戸の屋内側には別にカーテンやレース等を使用する必要がある。【０００４】  そのために、こうした従来の網戸に対して模様を付加するために考案された網戸用網として、レース編地に樹脂コーティングしてなる網戸用網が既に出願されている。（例えば、特許文献１参照）。
【特許文献１】            実登第３００５５１１号公報（第１−５頁、第１図）
【考案の開示】
【考案が解決しようとする課題】
【０００５】  一般に網戸は小さな虫や蚊等が屋内に侵入してこないようにするものであり、その網目は細かくする必要がある。そのために、細い金属線や細いナイロンワイヤ等の線材をメッシュ状に細かい織目で平織りして、その織目がずれないように緊張した状態で戸枠に張り付けている。またそのために、前記細い線材をメッシュ状に織り込んだ網地の強度は強くなく、該網地に尖ったものや硬いものが接触したり突き当たると、その部分が破れて孔が空き易い。【０００６】  さらに、前記網地は単調な色合いの網地であり、外観が良くなく、風情もない。また、前記網地が破れたり孔が空いていたりすると、外観や風情がさらに悪くなる。【０００７】  模様を付加するとした前記網戸用網は、レース編地により模様を表し、樹脂コーティングにより該レース編地に強度及び張りを持たせるようにしたものであるため、模様ごとに異なったレース編地を製作しておく必要があり、一旦製作した所定の模様を簡単に替えることはできず、模様を替える際には、前記網戸用網を張り替えるか、もしくは網戸毎交換する必要がある。【０００８】  本考案の目的は、通風性と防蚊性を備え、さらに、外観や風情に優れた網地として、既にある網戸や壁紙に張り付けて使用可能とする重ね貼り用網地を提供することである。
【課題を解決するための手段】
【０００９】  上記の目的を達成するために請求項１に係る考案は、モノフィラメント糸を編織して網地とし、該網地に所定の模様柄をプリント及び／又は防蚊処理を施した重ね貼り用網地であることを特徴としている。【００１０】  上記の構成を有する請求項１に係る考案によれば、モノフィラメント糸を編織した網地からなり、所望の色合いや絵柄を有する外観に優れ、防蚊性を備える重ね貼り用網地としたので、任意の網戸や壁紙等に貼り付けて、風情に優れたインテリアもしくは通気性を備える防蚊網として使用することができる。【００１１】  請求項２に係る考案は、前記モノフィラメント糸を平織り、もしくはからみ織りしたことを特徴としている。【００１２】  上記の構成を有する請求項２に係る考案によれば、モノフィラメント糸を平織り、またはからみ織りした網地として、外観に優れていると共に、通気性と防蚊性を備える網地とすることができる。【００１３】  請求項３に係る考案は、前記モノフィラメント糸をトリコット編みしたことを特徴としている。【００１４】  上記の構成を有する請求項３に係る考案によれば、モノフィラメント糸をトリコット編みすることで、緻密なピッチで編成することができ、緻密な絵柄をプリント可能であり、さらに美観に優れると共に防蚊性に優れた重ね貼り用網地とすることができる。【００１５】  請求項４に係る考案は、ポリエステルモノフィラメント糸と可溶性繊維との混紡糸を編織した網地とし、該網地をオパール加工して所定の模様柄を現出した後で、プリント及び／又は防蚊処理を施した重ね貼り用網地であることを特徴としている。【００１６】  上記の構成を有する請求項４に係る考案によれば、さらに細かい模様を柄出しすることができ、さらに美観に優れた重ね貼り用網地とすることができる。
【考案の効果】
【００１７】  本考案によれば、モノフィラメント糸を編織して網地とし、該網地に所定の模様柄をプリント及び／又は防蚊処理を施した重ね貼り用網地としたので、通気性と防蚊性を備え、外観や風情に優れていると共に、既にある網戸や壁紙等の上から張り付けて使用可能な重ね貼り用網地を得ることができる。
【考案を実施するための最良の形態】
【００１８】  通風性と防蚊性を備え、外観や風情に優れていると共に、既にある網戸や壁紙に張り付けて使用可能な重ね貼り用網地を得るという目的を、モノフィラメント糸を編織して網地とし、該網地に所定の模様柄をプリントし、及び／又は防蚊処理を施した重ね貼り用網地とすることで実現した。
【実施例】
【００１９】  以下、本考案に係る重ね貼り用網地の実施例について、図１から図３に基づいて詳細に説明する。【００２０】  図１は本考案に係る重ね貼り用網地を金網又は壁紙の一部に装着した例を示す正面図である。図２には本考案に係る重ね貼り用網地を金網の全面に装着した一例であり、（ａ）は全体正面図であり、（ｂ）は一部断面拡大図である。図３には本考案に係る重ね貼り用網地を示しており、（ａ）は織物構成の網地を示し、（ｂ）は編物構成の網地を示している。【００２１】  図１には本考案に係る重ね貼り用網地１を金網又は壁紙等の一部に装着する例を示しており、貼付したい場所に応じた大きさに裁断した重ね貼り用網地１を、例えば金網１０の破れた部分３１や、壁紙２０のシミやカビ等により汚れた部分３２等の上に貼付して使用可能とされている。【００２２】  前記重ね貼り用網地１は、モノフィラメント糸を編織した布地に所定の模様柄をプリント及び／又は防蚊処理を施した網地であって、壁紙として使用する場合には所定の模様柄をプリントしているので、季節が変わる毎に、また、部屋の模様替えの毎に所望の風情を出すために所定の絵柄がプリントされた重ね貼り用網地１を貼付することができる。【００２３】  また、網戸の金網の一部が破れた場合には、その部分を被覆するように、前記重ね貼り用網地１を所定の大きさに裁断して、金網の上から前記重ね貼り用網地１を貼付することができる。【００２４】  上記のように、金網１０の上に貼付する場合にも、前記重ね貼り用網地１には、所定の模様柄がプリントされているので、風情や外観に優れた防蚊網戸とすることができる。さらには、窓を開けていても模様柄がプリントされているので、室外からは綺麗な模様柄が見えるだけであり、室内が見え難くなる効果をも備える。【００２５】  図２（ａ）には金網の全面に重ね貼り用網地１を装着する例を示しており、戸板２と網部材３からなる防蚊網戸１１の網部材３の少なくとも一方の面に重ね貼り用網地１を張り付けた構成である。また、前記重ね貼り用網地１を前記網部材３に張り付ける際には、接着剤を用いて貼付することも可能であるが、図２（ｂ）に示すように、膨出部を備える樹脂製の止着ピン５を、前記重ね貼り用網地１と前記網部材３とのそれぞれの網目を貫通するように嵌入して固定することで、前記重ね貼り用網地１を前記網部材の任意の位置に容易に止着可能となり好適である。【００２６】  前記網部材３は、細い金属線や細いナイロンワイヤ等の線材をメッシュ状に細かい織目で平織りしたものであり、一般に使用されている網材である。前記網部材３の織目は、蚊や小さな虫等が侵入しない程度の細かい織目であることが好ましいが、本考案のように、さらに重ね貼り用網地１を貼付して使用する場合には、その織目を細かくする必要はなく、粗い目付けの網部材３に細かい目付けの重ね貼り用網地１を貼付してもよい。【００２７】  また、前記網部材３は一般に単調な色合いの網材であり、外観が良くなく、風情もない。そのために、前記網部材３が破れたり孔が空いていたりすると、外観や風情がさらに悪くなる。【００２８】  重ね貼り用網地１は、例えば図３（ａ）に示すように、モノフィラメント糸を平織りしたものであって、���えば、２０Ｄ（デニール）のポリエステルモノフィラメント糸を経糸、緯糸の両方共に用いて緻密に平織りした構成の重ね貼り用網地１Ａとしている。【００２９】  また、蚊や小さな虫の侵入を防止可能な程度の細かい織目としていれば、比較的粗い目付けの金網であっても、その金網の上から重ね貼りして、防蚊性に優れた網戸とすることができる。【００３０】  さらに、モノフィラメント糸を平織りした布地からなるその織目を細かくしてとしているので、すっきりとした綺麗な外観を備えていると共に、軽量である。そのために、持ち運びが容易であり、貼付作業も楽に行うことができる。【００３１】  また、モノフィラメント糸を平織りする構成であるので、その織目を所望の大きさの目付けのメッシュ状とすることも容易であり、製織する際に経糸、緯糸の本数を加減して適当な織り密度とするだけで、通気性と防蚊性との両方を満足して備える網地を製作することができる。【００３２】  前記重ね貼り用網地１を平織りではなく、からみ織りして形成することもできる。からみ織りとは単に経糸と緯糸とを織り込むだけでなく、経糸と緯糸とを絡みつかせるようにして織っていく織成方法であり、さらに織目がずれ難い構成となり好適である。【００３３】  また、図３（ｂ）に示すように、前記重ね貼り用網地１を編成して形成することもできる。編成する際には、緻密な編成が可能なトリコット編みとすることが好ましい。トリコット編みとは経編みの一種であり、よこ編みでは達成できない程の緻密な編みピッチで編成できるものであり、防蚊性を備える程度の編目（例えば、０．５〜１．５ｍｍピッチ）の重ね貼り用網地１Ｂを編成することができる。【００３４】  上記したように、前記重ね貼り用網地１Ａ，１Ｂはモノフィラメント糸を編織した布状の網地であるので、この網地に所望の色合いや絵柄をプリントすることができる。また前記布状の網地に前処理として防蚊処理を施すことで、通気性を備えると共にさらに強力な防蚊性を備える網地とすることができる。【００３５】  前記防蚊処理とは、前記網地に蚊や虫等が忌避作用を発揮する成分を含浸することである。また前記忌避作用を発揮できる成分として、例えばユーカリ油、レモン油、ローズゼラニウム油等の精油中に含まれているシネオール、リモネン等の精油成分が好適であることが知られている。また、これらの精油成分は芳香性、殺菌による脱臭性をも有するものが多く、繊維に用いるのに適しているといえる。【００３６】  さらに、ポリエステルモノフィラメント糸等の合成繊維に対しては、特殊トルイル酸誘導体を主成分とする加工剤を含浸、塗布、練り込み等の手段により布状の網地本体に施すことで、防蚊性機能を発揮することができる。【００３７】  また、図２（ｂ）に示すように、戸枠２に装着された網部材３の面に重ね貼り用網地１を止着した構成の防蚊網戸１１ではなく、重ね貼り用網地１のみで網地を形成することも可能である。【００３８】  そのためには、重ね貼り用網地１を形成するモノフィラメント糸を強度の高い糸条とする必要があり、前記した２０Ｄよりも太い３０〜５０Ｄ程度のモノフィラメント糸を使用することが好適である。【００３９】  重ね貼り用網地１を、従来の網戸に止着して使用するタイプのものでは、止着したい部分に接着剤を塗布して貼付するか、もしくは止着ピン５を用いて所定位置に止着することができる。また貼付する際には、網地全面に接着剤を塗布する必要はなく、外周囲及び中央部付近等に塗布すればよく、止着ピン５を用いる場合でも、外周囲の所定位置（例えば、四隅）に嵌入して止着すればよい。【００４０】  また、前記重ね貼り用網地１は、モノフィラメント糸を編織した網地であるので、薄くて軽量であり、持ち運びが容易であり、止着作業の簡単であるので、従来の網戸を補修するメンテナンス作業を容易に行うことができる。また、部屋の模様替えの際にも、所望の絵柄をプリントした重ね貼り用網地１を止着するだけでよい。【００４１】  上記したように本考案によれば、モノフィラメント糸を編織して網地とし、該網地に所定の模様柄をプリントし、及び／又は防蚊処理を施した重ね貼り用網地としたので、通気性を備えると共にさらに強力な防蚊性を備えた防蚊網戸を得ることができる、さらに、所望の絵柄をプリントする構成としたので外観や風情に優れていると共に、既にある網戸に張り付けて使用可能であり、さらには部屋の模様替えやインテリアのための壁紙ともなる重ね貼り用網地を得ることができる。【００４２】  さらに、ポリエステルモノフィラメント糸と可溶性繊維との混紡糸を編織した網地とし、該網地をオパール加工して所定の模様柄を現出した後で、プリント及び／又は防蚊処理を施した重ね貼り用網地とすることも可能である。【００４３】  オパール加工とは、例えば弱アルカリ溶液（例えば水酸化ナトリウム溶液）により溶解されるウール繊維やアルカリ易溶性ポリエステル糸ベルピュア（カネボウ合繊株式会社製）等を、予めポリエステルモノフィラメント糸と拠り合わせて混紡糸を形成し、この混紡糸により網地を編織した後で、前記ウール繊維や易溶性ポリエステル糸の一部を溶解して、所定の模様を柄出しする所謂透かし模様を出す加工である。【００４４】  上記のようにオパール加工を施すだけで透かし模様を現出することが可能であるが、さらにプリント加工を併用して施すことで、さらに細かい柄や模様を現出することが可能であり、外観や風情に優れた壁紙や防蚊網戸として使用可能な重ね貼り用網地を得ることができる。
【図面の簡単な説明】
【００４５】
【図１】  本考案に係る重ね貼り用網地を金網又は壁紙の一部に装着した例を示す正面図である。
【図２】  本考案に係る重ね貼り用網地を金網の全面に装着した一例を示しており、（ａ）は全体正面図であり、（ｂ）は一部断面拡大図である。
【図３】  重ね貼り用網地を示しており、（ａ）は織成した重ね貼り用網地を示し、（ｂ）には編成した重ね貼り用網地を示している。
【符号の説明】
【００４６】  １  重ね貼り用網地
２  戸枠
３  網部材
【図１】
0003108103.tif 000003
【図２】
0003108103.tif 000004
【図３】
0003108103.tif 000005